(57)【要約】【課題】定着ローラを用いて記録媒体に画像情報を形成・定着させる画像形成装置、画像形成方法、及び画像形成プログラムを提供する。【解決手段】通常時、即ち、用紙の巻き付きがない状態において、ＮＶＲＡＭ３４に記憶された所定時間を要して定着ローラ２３ｂは、ＲＯＭ３２に記憶された設定値まで上昇する。しかし、定着装置２３におけるジャムが完全に解消されていない場合、ジャム紙に熱が奪われるため、定着ローラ２３ｂの表面温度は、ＮＶＲＡＭ３４に記憶された時間よりも長い時間で設定値まで上昇する。この場合、ＣＰＵ３１は、定着装置２３において発生したジャムが未だ解消されていないと判断し、再びＩ／Ｏ制御部３８を介してヒータ２３ｃへの通電を停止する。【選択図】図１
2007193227.tif 000002
【特許請求の範囲】
【請求項１】
定着ローラの表面温度を検知する検知手段と、前記検知手段によって検知された表面温度を基づいて定着ヒータのＯＮ／ＯＦＦを制御する制御手段とを有する定着装置において、
ジャム処理終了後の前記定着ローラのウォームアップ時間を計測する計測手段と、
通常の前記定着ローラのウォームアップ時間を記憶する記憶手段と、
前記計測手段によって計測されたウォームアップ時間が、前記記憶手段によって記憶されたウォームアップ時間よりも長いか否かを比較する比較手段と、
前記計測手段によって計測されたウォームアップ時間が、前記記憶手段によって記憶されたウォームアップ時間よりも長かったとき、ジャム処理が完了していないと判断する判断手段と、
前記判断手段によってジャム処理が完了していないと判断されたとき、その旨を表示してユーザにジャム処理を要求する表示手段とを有することを特徴とする定着装置。
【請求項２】
環境温度検知手段により得られた温度条件に基づいて、前記計測手段によって計測されたウォームアップ時間を補正する演算手段を有することを特徴とする請求項１記載の定着装置。
【請求項３】
前記定着ヒータは、電磁誘導により定着用発熱部材を発熱させる誘導過熱手段と、前記誘導過熱手段を駆動するインバータ回路とを有し、
前記制御手段は、前記インバータ回路から出力される電力値を制御する電力制御手段を有し、
前記検知手段は、前記定着発熱部材の温度を検知する温度検知手段を有することを特徴とする請求項１又は２記載の定着装置。
【請求項４】
請求項１から３のいずれか１項記載の定着装置を有することを特徴とする画像形成装置。
【請求項５】
定着ローラの表面温度を検知する検知手段と、前記検知手段によって検知された表面温度を基づいて定着ヒータのＯＮ／ＯＦＦを制御する制御手段と、通常の前記定着ローラのウォームアップ時間を記憶する記憶手段とを有する定着装置の定着方法であって、
ジャム処理終了後の前記定着ローラのウォームアップ時間を計測する計測工程と、
前記計測工程によって計測されたウォームアップ時間が、前記記憶手段によって記憶されたウォームアップ時間よりも長いか否かを比較する比較工程と、
前記計測工程によって計測されたウォームアップ時間が、前記記憶手段によって記憶されたウォームアップ時間よりも長かったとき、ジャム処理が完了していないと判断する判断工程と、
前記判断工程によってジャム処理が完了していないと判断されたとき、その旨を表示してユーザにジャム処理を要求する表示工程とを有することを特徴とする定着方法。
【請求項６】
定着ローラの表面温度を検知する検知手段と、前記検知手段によって検知された表面温度を基づいて定着ヒータのＯＮ／ＯＦＦを制御する制御手段と、通常の前記定着ローラのウォームアップ時間を記憶する記憶手段とを有する定着装置の定着プログラムであって、
ジャム処理終了後の前記定着ローラのウォームアップ時間を計測する計測処理と、
前記計測処理によって計測されたウォームアップ時間が、前記記憶手段によって記憶されたウォームアップ時間よりも長いか否かを比較する比較処理と、
前記計測処理によって計測されたウォームアップ時間が、前記記憶手段によって記憶されたウォームアップ時間よりも長かったとき、ジャム処理が完了していないと判断する判断処理と、
前記判断処理によってジャム処理が完了していないと判断されたとき、その旨を表示してユーザにジャム処理を要求する表示処理とを有することを特徴とする定着プログラム。
【発明の詳細な説明】
【技術分野】
【０００１】
本発明は、定着装置、画像形成装置、定着方法、及び定着プログラムに関し、特に、定着ローラを用いて記録媒体に画像情報を形成・定着させる定着装置、画像形成装置、定着方法、及び定着プログラムに関する。
【背景技術】
【０００２】
複写機、プリンタ、ファクシミリ装置、その他の画像形成装置にあっては、給紙装置（給紙部）から給送された用紙を画像形成部、その他の部位に搬送する機構が装備されている。このような用紙搬送機構においては、用紙のジャムが不可避的に発生し、ジャム発生率に低減は重要な課題である。
【０００３】
特許文献１では、給紙部から排紙部まで、複数のセンサを経由して紙搬送を行う画像形成装置において、紙の通過順にフィラー型、反射型のセンサを配置し、フィラー型センサがＯＮした後、ジャム検知時間経過したときに、反射型センサがＯＮ、ＯＦＦと状態変化した場合には、フィラー型センサ部におけるジャム検知を行わずに通常に排紙する制御を行うジャム検知制御部を備えることにより、ジャム発生に煩わされることなく装置を使用することができる画像形成装置が提案されている。
【特許文献１】特開２００３−３３７４４９号公報
【発明の開示】
【発明が解決しようとする課題】
【０００４】
しかし、上記の発明は以下の問題を有している。
【０００５】
特許文献１記載の画像形成装置によれば、搬送センサの設置できない定着装置内部にてジャムが発生し、ジャム残紙を全て取り除くことが出来ない場合に、使用者がそれに気付かず、印刷を継続すると定着装置部にて、何度もジャムが発生し、特定位置（定着装置部）にて複数回（連続Ｎ回等）のジャムが発生した場合には、それをもってジャム残紙が残っていると判断することができる。しかし、残紙有りと判断されるまでに、印刷動作を継続して実行しなければならず、本来であれば不要なジャムを発生させてしまい、用紙や時間を無駄にしてしまうと共に定着装置の破損をも引き起こしてしまう可能性が有る。
【０００６】
そこで、本発明は、ジャムリカバリー時と通常時のウォームアップに要する時間を比較することにより、ジャム紙を検出するセンサがない位置にジャム紙が残っていた場合であっても、当該ジャム紙の存在を検出することにより、ジャム紙が未だ処理されていない状態での無駄な印刷の実行や、印刷の失敗による再印刷の実行を防止することができる定着装置、画像形成装置、定着方法、及び定着プログラムを提案することを目的としている。
【課題を解決するための手段】
【０００７】
請求項１記載の発明は、定着ローラの表面温度を検知する検知手段と、前記検知手段によって検知された表面温度を基づいて定着ヒータのＯＮ／ＯＦＦを制御する制御手段とを有する定着装置において、ジャム処理終了後の前記定着ローラのウォームアップ時間を計測する計測手段と、通常の前記定着ローラのウォームアップ時間を記憶する記憶手段と、前記計測手段によって計測されたウォームアップ時間が、前記記憶手段によって記憶されたウォームアップ時間よりも長いか否かを比較する比較手段と、前記計測手段によって計測されたウォームアップ時間が、前記記憶手段によって記憶されたウォームアップ時間よりも長かったとき、ジャム処理が完了していないと判断する判断手段と、前記判断手段によってジャム処理が完了していないと判断されたとき、その旨を表示してユーザにジャム処理を要求する表示手段とを有することを特徴とする。
【０００８】
請求項２記載の発明は、請求項１記載の定着装置において、環境温度検知手段により得られた温度条件に基づいて、前記計測手段によって計測されたウォームアップ時間を補正する演算手段を有することを特徴とする。
【０００９】
請求項３記載の発明は、請求項１又は２記載の定着装置において、前記定着ヒータは、電磁誘導により定着用発熱部材を発熱させる誘導過熱手段と、前記誘導過熱手段を駆動するインバータ回路とを有し、前記制御手段は、前記インバータ回路から出力される電力値を制御する電力制御手段を有し、前記検知手段は、前記定着発熱部材の温度を検知する温度検知手段を有することを特徴とする。
【００１０】
請求項４記載の画像形成装置は、請求項１から３のいずれか１項記載の定着装置を有することを特徴とする。
【００１１】
請求項５記載の発明は、定着ローラの表面温度を検知する検知手段と、前記検知手段によって検知された表面温度を基づいて定着ヒータのＯＮ／ＯＦＦを制御する制御手段と、通常の前記定着ローラのウォームアップ時間を記憶する記憶手段とを有する定着装置の定着方法であって、ジャム処理終了後の前記定着ローラのウォームアップ時間を計測する計測工程と、前記計測工程によって計測されたウォームアップ時間が、前記記憶手段によって記憶されたウォームアップ時間よりも長いか否かを比較する比較工程と、前記計測工程によって計測されたウォームアップ時間が、前記記憶手段によって記憶されたウォームアップ時間よりも長かったとき、ジャム処理が完了していないと判断する判断工程と、前記判断工程によってジャム処理が完了していないと判断されたとき、その旨を表示してユーザにジャム処理を要求する表示工程とを有することを特徴とする。
【００１２】
請求項６記載の発明は、定着ローラの表面温度を検知する検知手段と、前記検知手段によって検知された表面温度を基づいて定着ヒータのＯＮ／ＯＦＦを制御する制御手段と、通常の前記定着ローラのウォームアップ時間を記憶する記憶手段とを有する定着装置の定着プログラムであって、ジャム処理終了後の前記定着ローラのウォームアップ時間を計測する計測処理と、前記計測処理によって計測されたウォームアップ時間が、前記記憶手段によって記憶されたウォームアップ時間よりも長いか否かを比較する比較処理と、前記計測処理によって計測されたウォームアップ時間が、前記記憶手段によって記憶されたウォームアップ時間よりも長かったとき、ジャム処理が完了していないと判断する判断処理と、前記判断処理によってジャム処理が完了していないと判断されたとき、その旨を表示してユーザにジャム処理を要求する表示処理とを有することを特徴とする。
【発明の効果】
【００１３】
本発明は、ジャムリカバリー時と通常時のウォームアップに要する時間を比較することにより、ジャム紙を検出するセンサがない位置にジャム紙が残っていた場合であっても、当該ジャム紙の存在を検出することにより、ジャム紙が未だ処理されていない状態での無駄な印刷の実行や、印刷の失敗による再印刷の実行を防止することができる。
【発明を実施するための最良の形態】
【００１４】
以下、本発明の一実施形態に係わる画像形成装置の構成及び動作について説明する。
【００１５】
まず、図１を参照して、本実施形態に係わる画像形成装置１０の構成について説明する。
【００１６】
本実施形態の画像形成装置１０は、イエロ（Ｙ）、マゼンタ（Ｍ）、シアン（Ｃ）、ブラック（Ｋ）の各色毎のトナー像をそれぞれ形成し、これを重ね合わせることでフルカラーの画像を形成するタンデム型の画像形成装置であり、原稿台１１と、スキャナ装置１２と、書き込み装置１３と、感光体ベルト１４と、帯電装置１５と、現像装置１６（ＹＭＣＫ）と、感光体ベルトクリーニング装置１７と、感光体ベルト廃トナーボトル１８と、中間転写ベルト１９と、中間転写ベルトクリーニング装置２０と、中間転写ベルト廃トナーボトル２１と、二次転写ローラ２２と、定着装置２３と、オイル塗布装置２４と、給紙ローラ２５と、給紙トレイ２６と、排紙ローラ２７と、排紙トレイ２８と、を有して構成される。
【００１７】
原稿台１１は、印刷を予定する原稿、すなわち読み取りの対象となる原稿を載せるための台である。原稿台１１の下面はコンタクトガラスから形成される。
【００１８】
スキャナ装置１２は、原稿台１１に載せられた原稿を読み取る装置であり、ランプと、反射ミラーと、レンズと、ＣＣＤ（Charge Coupled Device／電荷結合素子）と、から構成される。ランプおよび反射ミラーはキャリッジに搭載されており、該キャリッジは図の左右方向に移動可能となっている。原稿の読み取りは、キャリッジを移動させながらコンタクトガラス上に置かれた原稿に対しランプ光を照射し、この反射光を反射ミラー、レンズを介してＣＣＤに読み取らせることで行う。
【００１９】
書き込み装置１３は、スキャナ装置１２で読み取った原稿内容に基づいて、書き込み用のレーザ光を感光体ベルト１４上に照射する装置であり、レーザ光源と、ポリゴンミラーと、ｆθレンズなどの各種レンズと、から構成される。
【００２０】
感光体ベルト１４は、無端ベルト形状の像担持体である。
【００２１】
なお、感光体ベルト１４の周囲近傍には、ベルト回転方向に沿って、帯電装置１５、現像装置１６、中間転写ベルト１９、感光体ベルトクリーニング装置１７、除電装置（不図示）が配設されている。また、書き込み装置１３からの書き込み用のレーザ光は、帯電装置１５と現像装置１６の間において感光体ベルト１４上に照射される。
【００２２】
帯電装置１５は、感光体ベルト１４に非接触に配設された装置であり、感光体ベルト１４の表面を帯電させる。帯電装置１５により帯電された感光体ベルト１４表面に書き込み装置１３から書き込み用のレーザ光が照射されると、感光体ベルト１４上に静電潜像が形成される。
【００２３】
現像装置１６（ＹＭＣＫ）は、感光体ベルト１４上に形成された静電潜像をトナー（現像剤）で現像しトナー像を形成する装置であり、各色トナーを保持するトナーボトルと、トナーボトル内のトナーを攪拌する攪拌ローラと、接触方式でトナーを感光体ベルト１４に供給する現像ローラと、から構成される。なお、感光体ベルト１４と現像装置１６とは作像時以外は非接触となっている。
【００２４】
なお、作像時には、感光体ベルト１４上に形成された静電潜像に対応する色の現像装置１６を接触させ、該静電潜像を現像してトナー像を形成し、該トナー像を中間転写ベルト１９上に転写する。この動作を４色分順次行い、各色トナー像を中間転写ベルト１９上で重ね合わせることでフルカラートナー像を形成する。
【００２５】
感光体ベルトクリーニング装置１７は、感光体ベルト１４にブレード（クリーニングブレード）を接触させて配設された装置であり、中間転写ベルト１９へのトナー像の転写後に感光体ベルト１４上に残留している残留トナー・紙片等を除去・回収する。
【００２６】
感光体ベルト廃トナーボトル１８は、感光体ベルトクリーニング装置１７により除去・回収された廃トナーを格納するためのボトルである。
【００２７】
感光体ベルトクリーニング装置１７と帯電装置１５との間には不図示の除電装置が設けられている。除電装置は、感光体ベルト１４の表面を除電する。
【００２８】
中間転写ベルト１９は、感光体ベルト１４の表面に形成されたトナー像を順次重ね合わせて転写するための無端ベルトである。各色トナー像が順次重ね合わせられることで中間転写ベルト１９上にはフルカラートナー像が形成される。
【００２９】
中間転写ベルトクリーニング装置２０は、中間転写ベルト１９にブレード（クリーニングブレード）を接触させて配設された装置であり、給紙される記録紙へのフルカラートナー像の転写後に中間転写ベルト１９上に残留している残留トナー、あるいは、トナーパターンを除去・回収する。
【００３０】
中間転写ベルト廃トナーボトル２１は、中間転写ベルトクリーニング装置２０により除去・回収された廃トナーを格納するためのボトルである。
【００３１】
二次転写ローラ２２は、中間転写ベルト１９に対向して設けられたローラであり、搬送される記録紙に対してフルカラートナー像を転写（二次転写）する。
【００３２】
定着装置２３は、記録紙上に転写されたフルカラートナー像を記録紙に熱定着させる。具体的には、ヒータなどの加熱手段により加熱されているベルトおよびローラの間を通過させることでトナーを熱軟化させ記録紙に定着させる装置である。
【００３３】
オイル塗布装置２４は、記録紙のトナー像形成側に対向するベルト上にオイルを塗布する。オイルを塗布することで、トナー像の記録紙への熱定着性や、定着後の光沢性が向上する。
【００３４】
給紙ローラ２５は、給紙トレイ２７に格納される記録紙を給紙する。給紙トレイ２６は、記録紙を記録紙のサイズ毎に格納する。排紙ローラ２７は、フルカラートナー像の熱定着された記録紙を画像形成装置１０の機外に排紙する。排紙トレイ２８は、排紙された記録紙を載せるためのトレイである。
【００３５】
次に、図２を参照して、本実施形態に係わる画像形成装置１０のシステム構成について説明する。
【００３６】
画像形成装置１０は、ＣＰＵ３１と、ＲＯＭ３２と、ＲＡＭ３３と、ＮＶＲＡＭ３４と、画像メモリ３５と、読み取り制御部３６と、書き込み制御部３７と、Ｉ／Ｏ制御部３８と、表示出力・操作入力部３９と、を有して構成される。なお、各部はバス４０を介して接続されている。
【００３７】
ＣＰＵ（Central Processing Unit）３１は、中央演算装置であり、画像形成装置１０の全体制御を行う。具体的には、ＲＯＭ３２に記憶されているプログラムをＲＡＭ３３に展開し、該展開されたプログラムに従って、データ処理や演算処理などの各種処理を実行する。
【００３８】
ＲＯＭ（Read Only Memory）３２は、読み出し専用の不揮発性メモリであり、ＣＰＵ３１が各種演算や制御を行うための各種プログラム、データ、パラメータ等を格納する。
【００３９】
ＲＡＭ（Random Access Memory）３３は、プログラムやデータの書き込みを自在に行うことのできるメモリであり、ＣＰＵ３１が各種の処理を実行する上で必要なワーキングエリアを提供する。
【００４０】
ＮＶＲＡＭ（Nonvolatile ＲＡＭ）３４は、制御、タイミングなどの調整値や登録した複写モード設定などを格納するメモリである。ＮＶＲＡＭ３４は不揮発性のメモリであるので、画像形成装置１０の電源を落としてもその設定値は保持される。
【００４１】
画像メモリ３５は、読み取り制御部３６により生成された画像データを展開するための記憶領域である。
【００４２】
読み取り制御部３６は、スキャナ装置１２の制御を行う。具体的には、ランプの点灯、キャリッジの移動などの動作制御を行う。また、ＣＣＤにより読み取った原稿内容に対し各種の画像処理を行い、画像データを生成する。
【００４３】
書き込み制御部３７は、書き込み装置１３および現像装置１６の制御を行う。具体的にはは、主走査カウンタおよび副走査カウンタの出力するカウント値に基づいて書き込み装置１３のポリゴンミラーやレーザ光源を制御し、画像メモリ３５に展開された画像データに従った静電潜像を感光体ベルト１４上に形成する。また、形成した静電潜像に対応する色の現像装置１６を選択し、該現像装置１６を感光体ベルト１４に接触させ静電潜像を現像する。
【００４４】
Ｉ／Ｏ制御部３８は、画像形成装置１０に設けられている温度センサ４１等からの入力に基づいて、モータや熱源などの各負荷４２を制御する。
【００４５】
表示出力・操作入力部３９は、画像形成装置１０の外部、特にユーザに対する表示出力、およびユーザからの操作入力の受付を行う。表示出力・操作入力部３９は、表示手段としての液晶ディスプレイ４３、入力手段としてのキーパネル４４と接続されている。
【００４６】
ここで、図３を参照して、定着装置２３の具体的な構成及び動作について説明する。
【００４７】
定着装置２３は、加圧ローラ２３ａ、定着ローラ２３ｂ、ヒータ２３ｃ、及び温度センサ４１を有して構成される。定着ローラ２３ｂは、金属製中空芯金にハロゲンランプ等のヒータ２３ｃを内蔵してなる。当該定着ローラ２３ｂに対向配置された加圧ローラ２３ａは、定着ローラ２３ｂに圧接されていて、これらローラは転写材たる用紙を搬送するように回転する。ヒータ２３ｃによって定着装置２３の加熱が行われる。定着ローラ２３に接触するように温度センサ４１が配置され、ローラ表面の温度を検知する。この温度センサ４１の検出温度に応じてヒータ２３ｃへの通電が制御され、定着ローラ２３ｂの表面温度が所定の熱定着温度に調整される。ローラ間に狭持搬送される用紙は、定着装置２３から排出された後、排紙ローラ２７に送られて画像形成装置外へと排出される。
【００４８】
温度センサ４１によって検出された定着ローラ２３の表面温度は、ＣＰＵ３１によって、その温度が認識されるようになっている。表面温度の設定値はＲＯＭ３２に記憶されている。定着装置２３が立ち上げられると、ヒータ２３ｃへの通電が開始され、定着ローラ表面の温度が上昇する。温度センサ４１で検出された温度がＲＯＭ３２に記憶された温度よりも高くなると、ＣＰＵ３１がＩ／Ｏ制御部３８を介してヒータ２３ｃへの通電を停止する。また、温度センサ４１で検出された温度がＲＯＭ３２に記憶された温度よりも低くなると、ＣＰＵ３１からＩ／Ｏ制御部３８を介してヒータ２３ｃへ再通電し、温度を一定範囲に維持するように制御される。
【００４９】
定着装置の制御においては、上述のように所定の温度を保つための制御を行う一方で、定着ローラ２３ｂへの用紙の巻き付き、温度センサ４１での異常検知についてもチェックを行い、安全性を図る。定着装置２３でジャムが発生するとヒータ２３ｃへの通電が停止される。そして、ジャム紙が取り除かれている間に、表面温度が低下するため、ジャム処理後、ヒータ２３ｃへの通電がなされる。通常時、即ち、用紙の巻き付きがない状態において、ＮＶＲＡＭ３４に記憶された所定時間を要して定着ローラ２３ｂは、ＲＯＭ３２に記憶された設定値まで上昇する。しかし、定着装置２３におけるジャムが完全に解消されていない場合、ジャム紙に熱が奪われるため、定着ローラ２３ｂの表面温度は、ＮＶＲＡＭ３４に記憶された時間よりも長い時間で設定値まで上昇する。この場合、ＣＰＵ３１は、定着装置２３において発生したジャムが未だ解消されていないと判断し、再びＩ／Ｏ制御部３８を介してヒータ２３ｃへの通電を停止する。
【００５０】
次に、図４を参照して、本実施形態に係わる画像形成装置１０において、ジャム発生によりヒータ２３ｃへの通電が停止された後、再びヒータ２３ｃへの通電を開始する動作について説明する。
【００５１】
ヒータ２３ｃへの通電を開始する際、ＣＰＵ３１はジャム処理後の通電開始か否かを判断する（ステップＳ４０１）。ジャム処理後の通電開始でない場合は（ステップＳ４０１／ＮＯ）、定着ローラ２３ｂの表面温度を所定の熱定着温度に調整するためのヒータ２３ｃの制御と判断し、ＣＰＵ３１はヒータ２３ｃへの通電制御を継続して行う（ステップＳ４０２）。
【００５２】
一方、ジャム処理後の通電開始である場合は（ステップＳ４０１／ＹＥＳ）、ＣＰＵ３１はヒータ２３ｃへの通電を開始すると同時に、定着ローラ２３ｂの表面温度が、ＲＯＭ３２に記憶された設定値までの上昇に要する時間を計測する（ステップＳ４０３）。次に、環境補正が必要な温度だった場合は補正の為の演算処理を行う（ステップＳ４０４）。そして、ＮＶＲＡＭ３４に記憶された所定時間を読み出し、定着ローラ２３ｂの表面温度がＲＯＭ３２に記憶された設定値までの上昇に要した時間と比較する（ステップＳ４０５）。
【００５３】
定着ローラ２３ｂの設定値までの上昇に要した時間がＮＶＲＡＭ３４に記憶された所定時間より短かった場合は（ステップＳ４０６／ＮＯ）、定着ローラ２３ｂの表面温度を所定の熱定着温度に調整するためのヒータ２３ｃの制御と判断し、ＣＰＵ３１はヒータ２３ｃへの通電制御を継続して行う（ステップＳ４０２）。
【００５４】
一方、定着ローラ２３ｂの設定値までの上昇に要した時間がＮＶＲＡＭ３４に記憶された所定時間より長かった場合は（ステップＳ４０６／ＹＥＳ）、ジャム紙が未だ処理されていないと判断する（ステップＳ４０７）。そして、ジャム紙の処理が未だなされていない旨を液晶ディスプレイ４３に表示し、ジャム処理の実行をユーザに促す（ステップＳ４０８）。
【００５５】
上述の構成によれば、ジャムリカバリー時と通常時のウォームアップに要する時間を比較することにより、ジャム紙を検出するセンサがない位置にジャム紙が残っていた場合であっても、当該ジャム紙の存在を検出することにより、ジャム紙が未だ処理されていない状態での無駄な印刷の実行や、印刷の失敗による再印刷の実行を防止することができる。
【００５６】
また、ジャムリカバリー時と通常時のウォームアップ時間を比較することにより、用紙センサの無い部分にジャム残紙が残っていた場合でも残紙があることを検知できる為、ジャム紙が未処理状態での印刷を行うことによる定着装置の破損を未然に防止できる。
【００５７】
また、ジャムリカバリー時と通常時のウォームアップ時間を周囲の環境温度に影響されること無く比較することにより、用紙センサの無い部分にジャム残紙が残っていた場合でも残紙があることをより正確に検知できる為、無駄な印刷のやり直しや残紙のあるまま印刷を行うことによる定着装置の破損を未然に防ぐ事ができる。
【００５８】
また、ジャムリカバリー時と通常時のウォームアップ時間を比較することにより、用紙センサの無い部分にジャム残紙が残っていた場合にジャム紙があることを検知し、ユーザに知らせることにより、無駄な印刷のやり直しや残紙のあるまま印刷を行うことによる定着装置の破損を未然に防止できる。
【図面の簡単な説明】
【００５９】
【図１】本実施形態に係わる画像形成装置の概略図である。
【図２】本実施形態に係わる画像形成装置のシステム構成を示すブロック図である。
【図３】定着装置の具体的な構成を示す概略図である。
【図４】ジャム発生から復帰する際の動作を示すフローチャートである。
【符号の説明】
【００６０】
１２    スキャナ装置
１３    書き込み装置
１６    現像装置
３１    ＣＰＵ
３２    ＲＯＭ
３３    ＲＡＭ
３４    ＮＶＲＡＭ
３５    画像メモリ
３６    読み取り制御部
３７    書き込み制御部
３８    Ｉ／Ｏ制御部
３９    表示出力・操作入力部
４０    バス
４１    温度センサ
４２    負荷
４３    液晶ディスプレイ
４４    キーパネル
【図１】
2007193227.tif 000003
【図２】
2007193227.tif 000004
【図３】
2007193227.tif 000005
【図４】
2007193227.tif 000006